(57)【要約】【課題】アンテナの数を増やすことなく、屋内全体にわたって十分な強度の電波を供給できるようにする。【解決手段】建物内において電波の送信又は受信を可能にするアンテナ３を該建物の構造物２に固定させる屋内アンテナ設置装置１において、前記アンテナ３の設置角度を変化させる設置角度変更手段を具備する。具体的には、前記構造物２に固定される土台部４、前記アンテナ３が固定される反射板５、前記反射板５を前記土台部４に揺動可能に連結させる連結手段を具備する。【選択図】図１
2008147990.tif 000002
【特許請求の範囲】
【請求項１】
建物内において電波の送信又は受信を可能にするアンテナを該建物の構造物に固定させる屋内アンテナ設置装置において、
前記アンテナの設置角度を変化させる設置角度変更手段を具備することを特徴とする屋内アンテナ設置装置。
【請求項２】
建物内において電波の送信又は受信を可能にするアンテナを該建物の構造物に固定させる屋内アンテナ設置装置において、
前記構造物に固定される土台部、
前記アンテナが固定される反射板、
前記反射板を前記土台部に揺動可能に連結させる連結手段、
を具備することを特徴とする屋内アンテナ設置装置。
【請求項３】
前記連結手段は、前記構造物の面に対して垂直な円周に沿って前記反射板を揺動可能にするものであると共に、
前記土台部は、前記構造物の面に対して平行な円周に沿って任意に回転させて固定可能なものであることを特徴とする請求項２記載の屋内アンテナ設置装置。
【請求項４】
前記構造物に穿設された穴、及び前記アンテナを覆うカバー部を具備し、
前記土台部には、前記穴を通して屋内側に延出する係止部が形成され、
前記カバー部は、前記係止部に係止されることを特徴とする請求項２又は３記載の屋内アンテナ設置装置。
【請求項５】
前記係止部は、その前記構造物の厚さ方向の長さを変更可能にする長さ変更手段を具備することを特徴とする請求項４記載の屋内アンテナ設置装置。
【発明の詳細な説明】
【技術分野】
【０００１】
本発明は、建物内において電波の送受信を可能にする屋内アンテナを設置するための装置に関する。
【背景技術】
【０００２】
デパート、ホテル等の屋内では、携帯電話の電波がコンクリート等により遮断され通話できない場所が多い。このような問題の解決を図る従来技術として、天井に設置する屋内アンテナや（特許文献１参照）、外部電波を受信して屋内に放射するもので壁面に埋め込んで設置するアンテナ（特許文献２参照）が開示されている。
【特許文献１】特開２００４−８０５８９号公報
【特許文献２】特開２００４−１４０８３２号公報
【発明の開示】
【発明が解決しようとする課題】
【０００３】
しかしながら、上記特許文献１に開示されるような天井に設置する屋内アンテナや、上記特許文献２に開示されるような壁面に設置するアンテナを、デパート等に設置した場合、天井の梁、柱、商品等により電波が遮断され、場所によっては電波の強度が不足する箇所が出てくる。そのため、屋内全体にわたって十分な強度の電波を供給するためには、設置するアンテナの数を増やすしかなかった。
【０００４】
そこで、本発明は、アンテナの数を増やすことなく、屋内全体にわたって十分な強度の電波を供給することができる装置を提供することを目的とする。
【課題を解決するための手段】
【０００５】
上記課題を解決するために、本発明は、建物内において電波の送信又は受信を可能にするアンテナを該建物の構造物に固定させる屋内アンテナ設置装置において、前記アンテナの設置角度を変化させる設置角度変更手段を具備するものである（請求項１）。
【０００６】
設置角度変更手段により、アンテナの電波を放出又は受信する部分を、障害物の影等の電波強度が弱くなる場所に向けることにより、電波強度の不足を解消することができる。尚、アンテナが固定される建物の構造物としては、天井、壁、柱等が適当である。従来の屋内アンテナにおいては、このような設置角度変更手段が設けられていなかったので、電波強度の不足を補おうとする時、アンテナの設置数を増やさざるを得なかったが、本発明のように、設置角度変更手段が設けられていれば、１つのアンテナによってピンポイント的に電波強度を強めることができるので、アンテナの設置数を増やすことなく、屋内全体の電波強度を強化又は均一化させることができる。
【０００７】
また、本発明は、建物内において電波の送信又は受信を可能にするアンテナを該建物の構造物に固定させる屋内アンテナ設置装置において、前記構造物に固定される土台部、前記アンテナが固定される反射板、前記反射板を前記土台部に揺動可能に連結させる連結手段を具備するものである（請求項２）。
【０００８】
この構成は、上記請求項１記載の設置角度変更手段の一形態である。即ち、天井、壁等の建物の構造物に土台部を固定し、この土台部に、アンテナが固定された反射板を揺動可能に連結させることによって、この反射板の揺動可能範囲において、アンテナの向きを調整することができる。
【０００９】
また、上記請求項２記載の構成において、前記連結手段は、前記構造物の面に対して垂直な円周に沿って前記反射板を揺動可能にするものであると共に、前記土台部は、前記構造物の面に対して平行な円周に沿って任意に回転させて固定可能なものであることが好ましい（請求項３）。
【００１０】
この構造によれば、アンテナの設置方向を、屋内の全域にわたって調整することができる。
【００１１】
また、上記請求項２又は３記載の構成において、前記構造物に穿設された穴、及び前記アンテナを覆うカバー部を具備し、前記土台部には、前記穴を通して屋内側に延出する係止部が形成され、前記カバー部は、前記係止部に係止されることが好ましい（請求項４）。
【００１２】
この構成によれば、土台部と一体に形成された係止部に係止されたカバー部によって、天井、壁等の構造物に穿設された穴、及びこの穴から屋内側に現出したアンテナを隠すことができる。これにより、アンテナを保護することができる共に、景観を損ねることを防ぐことができる。
【００１３】
また、上記請求項４記載の構成において、前記係止部は、その前記構造物の厚さ方向の長さを変更可能にする長さ変更手段を具備することが好ましい（請求項５）。
【００１４】
これにより、天井等の厚さに合わせて係止部の長さを調整することができる。
【発明の効果】
【００１５】
以上のように、本発明によれば、デパート等の屋内において、障害物等の影響で電波強度が弱くなる場所にアンテナを向けることができるので、このような場所の電波強度の不足を解消することができる。従来の屋内アンテナにおいては、このような設置角度変更手段が設けられていなかったので、電波強度の不足を補おうとする時、アンテナの設置数を増やさざるを得なかったが、本発明によれば、１つのアンテナによってピンポイント的に電波強度を強めることができるので、アンテナの設置数を増やすことなく、屋内全体の電波強度を強化又は均一化させることができる。
【発明を実施するための最良の形態】
【００１６】
以下、添付した図面を参照して本発明の実施例を説明する。尚、異なる実施例において、同一又は同様の作用効果を奏する箇所については、その説明を省略する。
【実施例１】
【００１７】
図１において、本実施例における屋内アンテナ設置装置１の構造及び設置状態が示されている。屋内アンテナ設置装置１は、建物の天井２に、屋内において電波の送受信を可能にするアンテナ３を固定するものであり、土台部４、反射板５、カバー部６を有して構成されている。
【００１８】
土台部４は、図１〜図３に示すように、４枚の側板７ａ，７ｂ，７ｃ，７ｄと、対面する一対の側板７ａ，７ｃの下辺部に一体に形成される２つの係止部１０とを有している。対面する一対の側板７ａ，７ｃには、軸孔１８及び後述する４つの角度調節孔３０が穿設されている。係止部１０は、側板７ａ，７ｃの長手方向の長さの３分の１程度の幅を有し、各側板７ａ，７ｃの略中央部から土台部４の内側へ向かって延びる上側水平面３２、上側水平面３２の端辺から下方（屋内側）に延びる内側垂直面３３、内側垂直面３３の端辺から外（側板）側に延びる下側水平面３４、下側水平面３４の端辺から上方（天井）側に延びる外側垂直面３５を有している。この土台部４は、各係止部１０の上側水平面３２に穿設された通孔１４を介して、スクリュ等の固定具１５により天井２に固定される。この時、各係止部１０は、天井２に穿たれた穴８に上方から挿入されることによって、この穴８から垂下する２つのフックのような形状となる。また、この係止部１０は、電波を透過するプラスチック材等から構成される。
【００１９】
反射板５は、図１〜図３に示すように、アンテナ３が固定され、アンテナ３から放射される電波を反射する性質を有する板状の材料から構成され、断面コ字形状を有している。この反射板５の主面部１２には、４つの固定具用通孔２３及び１つのコネクタ用通孔２７が穿設されている。この主面部１２の下面側にアンテナ３の上面が当接され、固定具用通孔２３を介して固定具２４によりこのアンテナ３が固定される。この時、アンテナ３の上面に設けられケーブル２２と接続されるコネクタ１６がコネクタ用通孔２７に挿通されるようにする。また、主面１２の側辺から立設する２枚の側面部１３には、軸孔１９及び後述する１つの角度調節孔２５が穿設されている。
【００２０】
カバー部６は、図１及び図２に示すように、その上部に穴２７が形成されており、この穴２７に前記２つの係止部１０が係止される。このカバー部６は、電波を透過するプラスチック材等から構成され、アンテナ３への接触、ほこりの付着等を防ぎ、また天井２の穴８を隠すために設置される。
【００２１】
本実施例に係る屋内アンテナ設置装置１は、天井２に設置されるアンテナ３の天井２面に対する角度を変更させる手段を具備している。この手段は、アンテナ３が固定された反射板５を土台部４に固定する際に、天井２（水平）面に対して任意の角度となるように選択して固定することが可能となるものである。図４に示すように、土台部４と反射板５とは、回転軸用ピン２０と角度調整用ピン２１とにより互いに固定される。回転軸用ピン２０が土台部４の軸孔１８と反射板５の軸孔１９とに挿通されると、反射板５が回転軸用ピン２０を中心に回転可能な状態で係止される。そして、角度調整用ピン２１が土台部４の４つの角度調節孔３０ａ，３０ｂ，３０ｃ，３０ｄのいずれか１つと、反射板５の角度調節孔２５とに挿通されると、反射板５は天井２面に対して所定の角度を保って固定される。例えば、角度調整用ピン２１を最も上部に位置する角度調節孔３０ａに挿通させた場合（一点鎖線α）、反射板５は図中実線で示されるように、天井２面に対して水平な状態となるが、角度調整用ピン２１を最も下部に位置する角度調節孔３０ｄに挿通させた場合（一点鎖線β）、反射板５は図中二点鎖線で示されるように、天井２面に対して傾いた状態となる。同様に、角度調節孔３０ｂ，３０ｃを用いることにより、反射板５の角度を変えることができる。尚、ここでは土台部４の一方の側壁７ａについて説明したが、この側壁７ａに対面する側壁７ｃ（図１〜図３参照）についても同様である。
【００２２】
また、土台部４は、上述したように、天井２面に対して固定具１５（図１参照）によって固定されるが、この土台部４の固定時には、天井２に形成された穴８の中心を軸として、３６０°任意に回転させて固定方向を決定することができる。
【００２３】
上記のように、本実施例に係る屋内アンテナ設置装置１においては、角度調整用ピン２１を、土台部４のどの角度調節孔３０ａ，３０ｂ，３０ｃ，３０ｄに挿通させるかを選択し、反射板５の角度を決定すると共に、土台部４の固定方向を決定することにより、アンテナ３を屋内の任意の方向へ向けて設置することが可能となる。これにより、例えばデパート等において、商品、柱等の障害物により電波が届きにくい場所がある場合、その場所へ向けてアンテナ３を設置することにより、アンテナ３の設置数を増やすことなく、屋内全体の電波強度を強化又は均一化することができる。
【実施例２】
【００２４】
本実施例に係る屋内アンテナ設置装置は、図５及び図６に示す係止部５０を有するものである。この係止部５０は、上記実施例１における係止部１０と同様の作用を奏するものであり、カバー部６（図１参照）を係止するためのものである。
【００２５】
本実施例に係る係止部５０は、上側構成部５１、下側構成部５２、固定ピン７０を有して構成されている。これらの部材の材質としては、上記実施例１と同様に電波を透過させる必要があることから、プラスチック材等が適している。
【００２６】
上側構成部５１は、前記土台部４（図１参照）の対面する一対の側壁７ａ，７ｃの下辺部から延設される上側水平面３２と一体に構成され、外側垂直面５５と、内側垂直面５６とを有している。外側垂直面５５は、上側水平面３２の端辺から垂直方向に下方（屋内側）に延びる形状を有し、図５（ａ）に示すように、複数の長さ調節孔５９が穿設されている。内側垂直面５６は、断面Ｌ字形状を有し、該Ｌ字形の短面側の端辺が外側垂直面５５の上端近傍部と一体に形成されており、また図６（ａ）及び（ｂ）に示すように、下端部近傍に通孔５８が穿設されている。
【００２７】
下側構成部５２は、図５及び図６に示すように、断面略コ字状をなし、内側垂直面６２、水平面６３、外側垂直面６４を有して構成される。内側垂直面６２には、複数の長さ調節孔７５が穿設され、この内側垂直面６２は、前記上側構成部５１の外側垂直面５５と内側垂直面５６との間に画成される空間６８に挿入される。
【００２８】
固定ピン７０は、前記上側構成部５１と下側構成部５２とを連結させるための部材であり、上側構成部５１の長さ調節孔５９のいずれか１つと、下側構成部５２の長さ調節孔７５のいずれか１つと、上側構成部５１の通孔５８とに挿通される。
【００２９】
上記のように、本実施例においては、固定ピン７０を通す上側構成部５１の長さ調節孔５９及び下側構成部５２の長さ調節孔７５を選択することにより、係止部５０の上下方向の長さを任意に変更することができる。これにより、天井２（図１及び図２参照）の厚さに対応させることができる。
【図面の簡単な説明】
【００３０】
【図１】本発明の実施例１に係る屋内アンテナ設置装置の構造及び設置状態を示す斜視図である。
【図２】本発明の実施例１に係る屋内アンテナ設置装置の構造及び設置状態を示す断面図である。
【図３】本発明の実施例１に係る屋内アンテナ設置装置の構造及び設置状態を示す一部斜視図である。
【図４】本発明の実施例１に係る屋内アンテナ設置装置において、土台部と反射板との連結構造を示す一部拡大斜視図である。
【図５】本発明の実施例２に係る屋内アンテナ設置装置における係止部の構造を示す一部斜視図であり、（ａ）は該係止部を短くした状態を示し、（ｂ）は該係止部を長くした状態を示す。
【図６】本発明の実施例２に係る屋内アンテナ設置装置における係止部の構造を示す一部断面図であり、（ａ）は該係止部を短くした状態を示し、（ｂ）は該係止部を長くした状態を示す。
【符号の説明】
【００３１】
１  屋内アンテナ設置装置
２  天井（構造物）
３  アンテナ
４  土台部
５  反射板
６  カバー部
８  穴
１０，５０  係止部
【図１】
2008147990.tif 000003
【図２】
2008147990.tif 000004
【図３】
2008147990.tif 000005
【図４】
2008147990.tif 000006
【図５】
2008147990.tif 000007
【図６】
2008147990.tif 000008